(57)【要約】【課題】  省電力化を図りつつ、高い照度で一定の平坦照度分布の照明領域を、長い照射距離で形成できる照明パネルを得る。【解決手段】  直状光源ユニット２００を複数配置した照明パネル１００であって、直状光源ユニット２００が、複数の発光ダイオードを基台に直線状に配設した発光部と、発光部の光出射側に複数の発光ダイオードそれぞれに対応して設けられ、発光ダイオードの発光面が焦点位置となる放物面からなる第１反射部と、第１反射部のさらに光出射側に、発光ダイオードを挟んで、発光ダイオードの並び方向に対して平行に一対配列され、発光ダイオードからの光を光出射側に向けて反射する平板状の反射面を有する第２反射部とを備え、この直状光源ユニット２００を、モジュールパネル１上で環状に配置した。【選択図】図１
2007066657.tif 000002
【特許請求の範囲】
【請求項１】
直状光源ユニットを複数配置した照明パネルであって、
前記直状光源ユニットが、複数の発光ダイオードを基台に直線状に配設した発光部と、前記発光部の光出射側に前記複数の発光ダイオードそれぞれに対応して設けられ、前記発光ダイオードの発光面が焦点位置となる放物面からなる第１反射部と、前記第１反射部のさらに光出射側に、前記発光ダイオードを挟んで、前記発光ダイオードの並び方向に対して平行に一対配列され、前記発光ダイオードからの光を光出射側に向けて反射する平板状の反射面を有する第２反射部とを備え、
前記直状光源ユニットが、モジュールパネル上で環状に配置されたことを特徴とする照明パネル。
【請求項２】
前記直状光源ユニットが、多角形状に形成した前記モジュールパネルの各辺部に沿って配置されたことを特徴とする請求項１記載の照明パネル。
【請求項３】
前記多角形状が、正方形であることを特徴とする請求項２記載の照明パネル。
【請求項４】
前記多角形状が、三角形であることを特徴とする請求項２記載の照明パネル。
【請求項５】
請求項１〜請求項４のいずれか１項記載の照明パネルが、複数接続されてアレイ状に配列されたことを特徴とする照明装置。
【発明の詳細な説明】
【技術分野】
【０００１】
本発明は、照明パネル及び照明装置に関する。
【背景技術】
【０００２】
従来の照明器具としては、蛍光灯や白熱電球、スポットライト等、種々のタイプの照明光源が利用されているが、照明光の中に被照射物の劣化を誘発する紫外線成分を含んでいたり、照明光源の発熱により、その設置に関しては制約が多かった。最近になり、発熱や消費電力の少ないＬＥＤ光源が注目され、また、高輝度な白色ＬＥＤも提供されるようになってから、一般照明用の照明器具にＬＥＤ光源を利用するものが増えつつある。この種の照明装置の一例が例えば特許文献１に開示されている。
【０００３】
また、従来、照明装置は、所望の照度が得られるように、所定の間隔で個々の照明器具が天井等に配置された。従って、照明装置の取り付け施工現場では、照明器具それぞれの取り付け位置を予め定める作業が行われていた。
【０００４】
【特許文献１】特開２０００−０２１２０９号公報
【発明の開示】
【発明が解決しようとする課題】
【０００５】
ところが、上記特許文献１のように、ＬＥＤを光源とした照明装置においては、ＬＥＤを単体或いは複数個をアレイ状として照明装置を構成した場合、ＬＥＤ自体の照度角が広いと照明光の照射領域が広がる反面、光源から離れるに従って照度が著しく低下し、照明装置としての性能を満足し得ない。その場合には、ＬＥＤ自体の発光を高輝度化すればよいが、装置の大型化と消費電力の増大による不利が避けられない問題となる。そこで、ＬＥＤの側方（或いは背面側等）に凹面状の放物面を有する反射板を設けることにより、ＬＥＤからの光を、この反射板によって平行光化して光束密度を上げることができるが、反射板に照射しなかった光成分は拡散しながら光路前方に進む。このため、光源全体として照度分布は反射板により照度アップが図られるが、依然としてブロードな分布を呈したままとなり、照明に必要となる高照度で平坦照度分布の照明領域が十分に得られない。また、仮に高照度で平坦照度分布の照明領域が形成できる照明器具が得られても、所望の照度が得られるように、個々の照明器具の取り付け位置を予め定める煩雑な位置だし作業が必要となった。この場合、例えば図１４（ａ）に示すように、多数の照明器具５００を位置だしせずに並設すれば、所定の照度は得られるものの、図１４（ｂ），（ｃ）に示すように、照射領域全体が不均一な照度領域５０３ａ，５０３ｂ，５０３ｃ，５０３ｄの集合となり、照明品質を著しく低下させた。
【０００６】
本発明は上記状況に鑑みてなされたもので、その第１の目的は、省電力化を図りつつ、高い照度で一定の平坦照度分布の照明領域を、長い照射距離で形成できる照明パネルを得ることにある。また、その第２の目的は、高照度かつ均一な照度分布の照射領域を、任意な広さに、しかも容易に展開できる照明装置を得ることにある。
【課題を解決するための手段】
【０００７】
上記目的は、下記構成により達成される。
（１）  直状光源ユニットを複数配置した照明パネルであって、前記直状光源ユニットが、複数の発光ダイオードを基台に直線状に配設した発光部と、前記発光部の光出射側に前記複数の発光ダイオードそれぞれに対応して設けられ、前記発光ダイオードの発光面が焦点位置となる放物面からなる第１反射部と、前記第１反射部のさらに光出射側に、前記発光ダイオードを挟んで、前記発光ダイオードの並び方向に対して平行に一対配列され、前記発光ダイオードからの光を光出射側に向けて反射する平板状の反射面を有する第２反射部とを備え、前記直状光源ユニットが、モジュールパネル上で環状に配置されたことを特徴とする照明パネル。
【０００８】
この照明パネルでは、第１反射部が発光ダイオードからの光を光出射側に向けて略平行化して反射させ、第２反射部が第１反射部に入射しなかった発光ダイオードからの光を光出射側に向けて略平行化して反射させることにより、省電力でありながら、高い照度でかつ照度分布が均一になるのに加え、個々の直状光源ユニットによる高照度かつ均一な照度分布の照射領域が、照射領域の中心から全方向へ均等に拡大され、しかも、その中央部には、全ての直状光源ユニットから光が照射される一層高照度かつ均一な照度分布の重複照射領域が形成可能となる。即ち、高照度かつ均一な照度分布の重複照射領域が広く確保可能となる。
【０００９】
（２）  前記直状光源ユニットが、多角形状に形成した前記モジュールパネルの各辺部に沿って配置されたことを特徴とする（１）記載の照明パネル。
【００１０】
この照明パネルでは、直状光源ユニットが、多角形状の周縁である各辺部を利用して、環状に配置可能となり、一つのモジュールパネルの各辺部から光が出射され、一つのモジュールパネルによって均等な照射領域が形成可能になる。
【００１１】
（３）  前記多角形状が、正方形であることを特徴とする（２）記載の照明パネル。
【００１２】
この照明パネルでは、多角形状が正方形となることで、各辺部からの出射光が照射領域の中心から四方へ均等に拡大され、しかも、その中央部には、全ての直状光源ユニットから光が照射される一層高照度かつ均一な照度分布の重複照射領域が正方形に形成可能となる。
【００１３】
（４）  前記多角形状が、三角形であることを特徴とする（３）記載の照明パネル。
【００１４】
この照明パネルでは、多角形状が三角形となることで、正方形に比べて直状光源ユニットを一つ少なくでき、各辺部からの出射光を照射領域の中心から三方へ均等に拡大しつつ、モジュールパネルの小型化が可能となる。
【００１５】
（５）  （１）〜（４）のいずれか１項記載の照明パネルが、複数接続されてアレイ状に配列されたことを特徴とする照明装置。
【００１６】
この照明装置では、複数の直状光源ユニットが環状に設けられた最小単位のモジュールパネルが、接続状態で配列（連続）されて行くことで、高照度かつ均一な照度分布の重複照射領域が、任意な広さに、容易に展開可能となる。
【発明の効果】
【００１７】
本発明に係る照明パネルによれば、発光ダイオードを直線状に配設した発光部と、放物面からなる第１反射部と、第１反射部のさらに光出射側に配列された平板状の反射面を有する第２反射部とによって直状光源ユニットを構成したので、第１反射部が発光ダイオードからの光を光出射側に向けて略平行化して反射させ、第２反射部が第１反射部に入射しなかった発光ダイオードからの光を光出射側に向けて略平行化して反射させることにより、省電力でありながら、高い照度でかつ照度分布を均一にすることができ、さらに、この直状光源ユニットをモジュールパネル上で環状に配置しているので、個々の直状光源ユニットによる高照度かつ均一な照度分布の照射領域を、照射領域の中心から全方向へ均等に拡大させることができ、しかも、その中央部には、全ての直状光源ユニットから光が照射される一層高照度かつ均一な照度分布の重複照射領域を形成することができる。この結果、省電力化を図りつつ、高い照度で一定の平坦照度分布の照明領域を、長い照射距離で形成することができる。
【００１８】
本発明に係る照明装置によれば、前記の照明パネルを、複数接続してアレイ状に配列したので、直状光源ユニットの設けられた最小単位のモジュールパネルを配列して行くことで、高照度かつ均一な照度分布の重複照射領域を、任意な広さに、しかも容易に展開することができる。
【発明を実施するための最良の形態】
【００１９】
以下、本発明に係る照明パネル及び照明装置の好適な実施の形態を図面を参照して説明する。
図１は本発明に係る照明パネルの下面視を中央、四方向からの側面視を上下左右に併記した外観図、図２は図１に示した照明パネルを上方から見た平面図（図１の裏面を示す図）である。
照明パネル１００は、後に詳述する複数（本実施の形態では４つ）の直状光源ユニット２００を、不透明な樹脂材料等からなるモジュールパネル１上で環状（本実施の形態では四角形状）に配置している。なお、モジュールパネル１は、直状光源ユニット２００の配置された面が施工時には下面となり、反対側の上面が天井、或いは移動手段等に取り付けられる。モジュールパネル１の上面には収容箱３が固設され、収容箱３は後述の駆動部１１（図３参照）等を収容する。モジュールパネル１の一方の対角線方向両端には図２に示す貫通孔５、５が穿設され、貫通孔５はそれぞれの直状光源ユニット２００のリード線３３をモジュールパネル１の下面から上面へ貫通させている。上面側へ貫通されたリード線３３は、収容箱３内の駆動部１１へと接続されている。
【００２０】
直状光源ユニット２００は、多角形状に形成したモジュールパネル１の各辺部に沿って配置される。このように、直状光源ユニット２００が、多角形状の周縁である各辺部を利用して、環状に配置されることで、一つのモジュールパネル１の各辺部から光が出射され、一つのモジュールパネル１での均等な照射領域の形成が可能となっている。なお、本実施の形態では、モジュールパネル１が正方形となる。
【００２１】
次に、直状光源ユニット２００について説明する。
図３は図１に示した直状光源ユニットの全体構成図である。
図３に示すように、直状光源ユニット２００には駆動部１１が接続される。駆動部１１は、直状光源ユニット２００に発光駆動電力を供給するものであり、例えばフルレンジトランス等を用いることができる。駆動部１１は商用電源に接続し、商用電源からの例えばＡＣ１１０Ｖ〜２２０Ｖ、５０Ｈｚ〜６０Ｈｚ等の電力を、ＤＣ１２Ｖ（ＤＣ６ＶやＤＣ２４Ｖ等の任意の電圧、或いは交流であってもよい）の駆動電圧に変換して直状光源ユニット２００に供給する。
【００２２】
直状光源ユニット２００は、後板１５と、多数個の発光ダイオード（ＬＥＤ）１７を基台である配線基板１９上に直線的に配設した発光部２１と、反射鏡部材２３とを有して構成されている。後板１５は、反射鏡部材２３との間に配線基板１９を挟み込んで反射鏡部材２３に着脱自在に組み付けられる。
【００２３】
ＬＥＤ１７は、青色発光ダイオードと、この青色発光ダイオードからの青色光を黄色光に変換する蛍光体とを有する。これにより、ＬＥＤ１７では、青色発光ダイオードから出射された青色光が、蛍光体に吸収されると、蛍光体が波長のより短い黄色光を発し、この黄色光と吸収されなかった青色光とが混ざって、出射光が白色光となる。なお、ＬＥＤ１７の出射光は、白色光に限定されるものではない。
【００２４】
図４は直状光源ユニットの側面図（ａ）、下面図（ｂ）、図５は直状光源ユニットの分解斜視図である。
直状光源ユニット２００は、図４（ａ）に示すように、反射鏡部材２３に後板１５を組み付けた状態で高さＨを有する。高さＨは、本実施形態においては概ね２０ｍｍ程度であり、発熱電球や蛍光灯等を光源として用いた場合と比較して大幅に薄型化されている。なお、高さＨは、小さすぎると反射鏡部材２３の偏向特性が損なわれ、大きすぎると設置スペースを要して本直状光源ユニット２００の配置自由度が高められない。そのため、１５〜３０ｍｍ程度、特に２０〜２３ｍｍ程度が望ましい。
【００２５】
反射鏡部材２３は、図４（ｂ）に示すように、長尺板状の取付基部２４（図５参照）と、取付基部２４に接続され、中心位置に開口を有し光出射側が解放側となる放物面からなる反射面（放物面鏡）２５ａを複数個（本実施形態においては合計１６個）形成した第１反射部２５と、第１反射部２５のさらに光出射側に設けられ、放物面鏡２５ａの並び方向に平行な平板状の反射面（平面板鏡）２７ａを形成した第２反射部２７とを一体に有する。第２反射部２７は、放物面鏡２５ａの並び方向とは直交する方向に平面板鏡２７ａが一対形成されたもので、並び方向両脇は、第１反射部２５の放物面鏡を延長した放物面壁２７ｂで接続されている。反射鏡部材２３は、射出成形により一体成形された樹脂成形品であって、少なくとも第１反射部２５と第２反射部２７の光反射面にはアルミ蒸着等による鏡面のコーティング加工が施されている。また、光反射面としては、これに限らず、他の常套手段が利用可能である。
【００２６】
後板１５は、図５に示すように、縦断面が“く”の字状の傘部２９と、傘部２９の内側面に配線基板１９の背面側を支持するリブ３０と、傘部２９の長手方向の複数箇所（本実施形態においては５箇所）に反射鏡部材２３と係合するロック爪３１が配設されてなる。ロック爪３１は、図中上下一対の縦断面が“コ”の字状のフック形状に形成されている。
【００２７】
配線基板１９は、例えばプリント基板であり、反射鏡部材２３側に長手方向に沿って個々の放物面鏡２５ａに対応して複数個（ここでは１６個）のＬＥＤ１７が直線状に実装されている。そして、配線基板１９の一端側からはリード線３３が引き出され、駆動部１１（図３参照）に接続されている。配線基板１９は、片面実装モジュールのために、障害発生時に問題点を発見し易く、メンテナンス性に優れた安全なモジュールである。
【００２８】
反射鏡部材２３は、長尺平板状に形成された取付基部２４の両端に直状光源ユニット２００の固定用のブラケット３７が形成されており、取付基部２４の図１における上下方向に、後板１５のロック爪３１が係合する係合部３９を設けてある。係合部３９は、配線基板１９を後板１５とで挟み込み、後板１５のロック爪３１とのスナップアクションにより脱着自在に組み合わせられる。
【００２９】
反射鏡部材２３、配線基板１９、後板１５を組み合わせたとき、第１反射部２５の放物面鏡２５ａの焦点位置にＬＥＤ１７の発光面が位置することになる。これはつまり、反射鏡部材２３には、配線基板１９表面に当接する面が離散的に配置されており、この当接面を、ＬＥＤ１７の発光面が放物面鏡２５ａの焦点位置となる高さに形成している。また、配線基板１９が反射鏡部材２３に形成された基板収容位置に納まる際、後板１５のリブ３０は、この当接面に配線基板１９を押圧するようにその高さが設定されている。
【００３０】
従って、反射鏡部材２３、配線基板１９、後板１５を単に組み合わせるだけで、放物面鏡２５ａの焦点位置とＬＥＤ１７の発光面の位置が簡単にして高精度で一致することになる。この構成により、例えばねじ等の締結手段を用いることなく簡単に組み付けでき、部品点数を減らして、組立や調整のための工程を軽減でき、生産性の向上が図られる。
【００３１】
次に、上記構成の直状光源ユニット２００に対する光学的特性について説明する。
図６は図４に示す直状光源ユニットのＡ−Ａ断面図である。
直状光源ユニット２００の反射鏡部材２３は、第１反射部２５と第２反射部２７とが連続して形成されており、第１反射部２５の基端部には、ＬＥＤ１７の発光面を放物面鏡２５ａの焦点位置に配置させるための開口４１が設けてある。第１反射部２５の放物面鏡２５ａは、ＬＥＤ１７の発光面を焦点位置とする放物面からなる反射面を有しており、ＬＥＤ１７からの光を光出射側に向けて略平行化して反射する。
【００３２】
また、第２反射部２７は、第１反射部２５のさらに光出射側に設けられ、放物面鏡２５ａの配列方向、即ち、ＬＥＤ１７の配列方向に対して平行に配置された平板状の平面板鏡２７ａを有している。そして、第１反射部２５に照射されなかったＬＥＤ１７からの光を受けて、光出射側に向けて略平行化して反射する。第１反射部２５は、予め定められた反射面領域Ｍ１を有し、第２反射部２７は、反射面領域Ｍ１に連続して予め定められた反射面領域Ｍ２を有するために、第１，第２反射部２５，２７によって反射された光は、大きな光量の平行光となって被照明物に照射されることになる。
【００３３】
平面板鏡２７ａのＬＥＤ１７の光軸に対する傾斜角度は、第１反射部２５に照射されなかったＬＥＤ１７からの光束が平行光化する角度に設定される。本実施形態の場合は、ＬＥＤ１７の光軸に対して２０゜〜２７゜の範囲で傾斜角度が設定されている。
【００３４】
ここで、ＬＥＤ１７は、例えば１２０°等の広い照度角を有しており、出射した光のうち、側方へ向いて出射した光成分が増加しても、第１反射部２５、第２反射部２７に捕らえられて、平行光化に寄与する割合が高くなる。これにより、照度分布の均一化効果が一層高められる。
【００３５】
次に、直状光源ユニット２００による照度領域について説明する。
図７は直状光源ユニットにおける照射距離と照射領域との相関を表した模式図である。
直状光源ユニット２００では、ＬＥＤ１７から直接的に照射される光成分と、第１反射部２５、第２反射部２７による反射を伴って到達した光成分からなる範囲Ｗにおける光量は、他の領域と比較して、その境界が明瞭に現れている。これは、範囲Ｗ内に集光されて、かつ光束が略平行光とされ、放射照度が高い状態になっているためである。平面板鏡２７ａのＬＥＤ１７の光軸に対する開き角度θを変更することで、光の偏向状態を調整することができる。つまり、開き角度θを大きくして照明範囲を広げたり、開き角度θを小さくして特定位置に集光させることが可能となる。その場合には、第１反射部と第２反射部とを一体構成とせずに個別に設け、平面板鏡の開き角度θを調整自在にした構成とすることが好ましい。
【００３６】
図８は単体の直状光源ユニットによって得られる照射領域を表した模式図である。
本実施の形態では、開き角度θが約１１°に設定され、かつ直状光源ユニット２００の性状が、
・ＬＥＤ数  １６個
・反射鏡部材２３の外形寸法
縦２３．８ｍｍ、横２６４ｍｍ、高さ１６．２５ｍｍ
であるとき、照射距離Ｈが約５ｍの場合、図８に示す一辺の長さＬが約１ｍの正方形の照射領域Ｓが形成されるようになっている。
【００３７】
図９は照明パネルによって得られる照射領域を表した模式図、図１０は照明パネルによって得られる照度分布を表すグラフである。
上記した直状光源ユニット２００を備えた照明パネル１００では、モジュールパネル１の多角形状が正方形となることで、各辺部からの出射光が図９に示すように、照射領域ＳＳの中心４３から四方へ均等に拡大され、しかも、その中央部には、全ての直状光源ユニット２００から光が照射され、一層高照度、かつ図１０に示す均一な照度分布の重複照射領域Ｓｈが正方形に形成される。
【００３８】
従って、この照明パネル１００によれば、ＬＥＤ１７を直線状に配設した発光部２１と、放物面鏡２５ａからなる第１反射部２５と、第１反射部２５のさらに光出射側に配列された平板状の平面板鏡２７ａを有する第２反射部２７とによって直状光源ユニット２００を構成したので、第１反射部２５がＬＥＤ１７からの光を光出射側に向けて略平行化して反射させ、第２反射部２７が第１反射部２５に入射しなかったＬＥＤ１７からの光を光出射側に向けて略平行化して反射させることにより、省電力でありながら、高い照度でかつ照度分布を均一にすることができる。
【００３９】
さらに、この直状光源ユニット２００をモジュールパネル１上で環状に配置しているので、個々の直状光源ユニット２００による高照度かつ均一な照度分布の照射領域を、照射領域Ｓｓの中心４３から全方向へ均等に拡大させることができ、しかも、その中央部には、全ての直状光源ユニット２００から光が照射される一層高照度かつ均一な照度分布の重複照射領域Ｓｈを形成することができる。この結果、省電力化を図りつつ、高い照度で一定の平坦照度分布の重複照射領域Ｓｈを、長い照射距離Ｈで形成することができる。
【００４０】
次に、照明パネルの種々の変形例を説明する。
図１１は対角線方向に直状光源ユニットを増設した照明パネルの変形例１を表す下面図である。
この変形例１による照明パネル１００Ａは、モジュールパネル１の対角線方向に、それぞれ一対の直状光源ユニット２５０、２５０が直線状に配置されている。従って、モジュールパネル１上には合計８つの直状光源ユニット２００が配置されている。
この変形例１による照明パネル１００Ａによれば、対角線上に増設した４つの直状光源ユニット２５０の発光量の分、照明パネル全体の光量を増大させることができ、同一のモジュールパネル１の面積で、照度をさらに高めることができる。
【００４１】
図１２は直状光源ユニットを（ａ）三角形、（ｂ）六角形に配列した場合の変形例２を表す下面図である。
また、照明パネル１００は、モジュールパネル１を正方形以外の多角形状で形成してもよい。即ち、図１２（ａ）に示す照明パネル１００Ｂは、モジュールパネル１Ｂを三角形に形成し、その各辺部に直状光源ユニット２００を配置している。
この照明パネル１００Ｂによれば、多角形状が三角形となることで、正方形に比べて直状光源ユニット２００を一つ少なくでき、各辺部からの出射光を照射領域の中心から三方へ均等に拡大しつつ、モジュールパネル１の小型化が可能となる。
【００４２】
また、図１２（ｂ）に示すように、照明パネル１００Ｃは、モジュールパネル１Ｃを六角形に形成し、その各辺部に直状光源ユニット２００を配置して構成してもよい。
この照明パネル１００Ｃによれば、多角形状が六角形となることで、正方形に比べて、各辺部からの出射光を照射領域の中心から六方へ均等に拡大しつつ、光量を増大させることができ、重複照射領域Ｓｈの照度をさらに高めることができる。なお、図１２には三角形、六角形の場合を例に挙げたが、モジュールパネル１の形状はこの他の任意の多角形であってもよく、その場合においても、直状光源ユニット２００は、各辺部に配置して構成されることになる。
【００４３】
図１３は照明装置として複数の照明パネルを接続して面方向に展開させた変形例３を表す下面図である。
照明パネル１００は、複数個を接続することで、その全体として照明装置３００を構成することができる。正方形の照明パネル１００の場合は、図１３に示すように、縦横方向に接続して行くことで、同一平面上にアレイ状に配列される。
このように、複数の直状光源ユニット２００が環状に設けられた最小単位のモジュールパネル（即ち、照明パネル１００）が、接続状態で配列（連続）されていくことで、高照度かつ均一な照度分布の重複照射領域が、任意な広さに、容易に展開可能となる。なお、この場合、モジュールパネル１の各辺部には図示しない雄型連結手段と雌型連結手段とを周方向に交互となるように（即ち、平行な辺部には同一種の連結手段を）設けることが好ましい。これにより、各接続辺部同士を雄型連結手段と雌型連結手段とによって接続しながら容易に四方へ連結展開していくことが可能となる。なお、直状光源ユニット２００同士の隣接距離は、モジュールパネル１の辺部からの離間距離を調整することで、任意に設定することができる。
【００４４】
上記構成以外にも、一つの照明パネルを支持すると共に、この照明パネルを移動可能とするレールを設け、照明したい領域に光が照射されるように、照明パネルをレールに沿って移動させ、所望の位置に移動させる構成であってもよい。この場合には、簡単にして照明の必要な領域にスポット照明を当てることができる。
【図面の簡単な説明】
【００４５】
【図１】本発明に係る照明パネルの下面視を中央、四方向からの側面視を上下左右に併記した外観図である。
【図２】図１に示した照明パネルを上方から見た平面図である。
【図３】図１に示した直状光源ユニットの全体構成図である。
【図４】直状光源ユニットの側面図（ａ）、下面図（ｂ）である。
【図５】直状光源ユニットの分解斜視図である。
【図６】図４に示す直状光源ユニットのＡ−Ａ断面図である。
【図７】直状光源ユニットにおける照射距離と照射領域との相関を表した模式図である。
【図８】単体の直状光源ユニットによって得られる照射領域を表した模式図である。
【図９】照明パネルによって得られる照射領域を表した模式図である。
【図１０】照明パネルによって得られる照度分布を表すグラフである。
【図１１】対角線方向に直状光源ユニットを増設した照明パネルの変形例１を表す下面図である。
【図１２】直状光源ユニットを（ａ）三角形、（ｂ）六角形に配列した場合の変形例２を表す下面図である。
【図１３】照明装置として複数の照明パネルを接続して面方向に展開させた変形例３を表す下面図である。
【図１４】従来の照明器具の配置状況及びそれによって得られる照度の分布を表した説明図である。
【符号の説明】
【００４６】
１  モジュールパネル
１７  ＬＥＤ（発光ダイオード）
１９  配線基板（基台）
２１  発光部
２５  第１反射部
２７  第２反射部
１００  照明パネル
２００  直状光源ユニット
３００  照明装置
【図１】
2007066657.tif 000003
【図２】
2007066657.tif 000004
【図３】
2007066657.tif 000005
【図４】
2007066657.tif 000006
【図５】
2007066657.tif 000007
【図６】
2007066657.tif 000008
【図７】
2007066657.tif 000009
【図８】
2007066657.tif 000010
【図９】
2007066657.tif 000011
【図１０】
2007066657.tif 000012
【図１１】
2007066657.tif 000013
【図１２】
2007066657.tif 000014
【図１３】
2007066657.tif 000015
【図１４】
2007066657.tif 000016